(57)【特許請求の範囲】
【請求項１】
被写体の放射線画像を電気信号に変換して読み取る放射線画像情報撮影装置において、
前記被写体の放射線画像情報を電気信号に変換する変換部、前記変換部により変換された前記電気信号を増幅する増幅部、増幅された前記電気信号を処理する信号処理部、及び、少なくとも前記変換部に電源を供給するデバイス電源部を収容する筐体と、
前記筐体の外部に配置される制御用電源部と、
を備え、
前記筐体内部は、外部に対して実質的に閉塞された空間部を形成するとともに、
前記筐体には、前記空間部の空気を外部熱媒体との熱交換により温度調整する熱交換部が設けられ、
前記熱交換部は、前記空間部に配置され該空間部の空気を主に吸熱する第１のヒートシンクと、前記筐体を挟んで前記第１のヒートシンクの反対側に配置され前記外部熱媒体と熱交換する第２のヒートシンクと、を備えることを特徴とする放射線画像情報撮影装置。
【請求項２】
請求項１記載の放射線画像情報撮影装置において、前記筐体内部には、前記空間部の温度を検出するための温度測定部が設けられることを特徴とする放射線画像情報撮影装置。
【請求項３】
請求項２記載の放射線画像情報撮影装置において、前記空間部の温度は、２０℃〜３０℃の範囲内に温度制御されることを特徴とする放射線画像情報撮影装置。
【請求項４】
請求項１乃至３のいずれか１項に記載の放射線画像情報撮影装置において、前記熱交換部は、ペルチェ素子を備えることを特徴とする放射線画像情報撮影装置。
【請求項５】
請求項１乃至４のいずれか１項に記載の放射線画像情報撮影装置において、前記筐体内部には、少なくとも前記増幅部の温度調整を行う温度調整部が配設されることを特徴とする放射線画像情報撮影装置。
【請求項６】
請求項１乃至５のいずれか１項に記載の放射線画像情報撮影装置において、前記筐体の内壁又は外壁には、前記空間部を覆って断熱部材が設けられることを特徴とする放射線画像情報撮影装置。
【発明の詳細な説明】
【技術分野】
【０００１】
本発明は、被写体の放射線画像を電気信号に変換して読み取る放射線画像情報撮影装置に関する。
【背景技術】
【０００２】
例えば、Ｘ線乳房撮影装置（マンモグラフィ装置）においては、放射線の照射により被写体（マンモ）の放射線画像を記録する一方、読取光の走査によって前記放射線画像に応じた情報を発する放射線画像記録部（固体検出器）に対し、前記読取光を照射する読取光源部を相対的に移動させて、前記放射線画像情報の読み取りを行っている。
【０００３】
放射線画像記録部としては、複数の光電変換素子及び薄膜トランジスタ（ＴＦＴ）が配設される方式や光読み出し方式の他、光変換方式又は直接変換方式の放射線固体検出器等が使用されている。
【０００４】
この種の固体検出器では、前記固体検出器から出力された画像信号（アナログ電気信号）は、微少な電荷であるため、外部に取り出されて増幅器で増幅されている。さらに、増幅されたアナログ電気信号は、Ａ／Ｄコンバータでデジタル電気信号に変換された後、処理装置に送られて各種の信号処理が施されている。
【０００５】
その際、固体検出器から出力されるアナログ電気信号は、微少な電荷であるため、固体検出器及び増幅器のわずかな温度変化に影響され易く、温度変化に対する安定した放射線画像情報の取得が望まれている。
【０００６】
そこで、例えば、特許文献１に開示された放射線撮影装置が知られている。この放射線画像撮影装置は、図９に示すように、架台１に対して昇降可能に撮影部２が取り付けられており、この撮影部２内には、図示しないＸ線管球側から二次元放射検出器３、及び前記二次元放射検出器３からの信号を画像信号に変換する信号変換手段４が設けられている。
【０００７】
撮影部２の上部には、冷却手段であるファン５が設けられるとともに、前記撮影部２の下部には、外気の吸い込み口２ａが形成されている。信号変換手段４は、ケーブル６を介して制御部７内の画像処理部８及び電源部９に接続されている。
【０００８】
このように、電源部９及び画像処理部８を収容する制御部７は、撮影部２の外部に設けられるため、前記撮影部２の小型化を図るとともに、ファン５を介して二次元放射検出器３を良好に冷却することができる、としている。
【０００９】
【特許文献１】特開２０００−３７３７４号公報
【発明の開示】
【発明が解決しようとする課題】
【００１０】
しかしながら、上記の特許文献１では、撮影部２の内部には、ファン５を介して吸い込み口２ａから、直接、撮影外部の空気が取り込まれるため、前記撮影部２内の冷却媒体温度が外部環境温度に依存している。従って、撮影部２内に吸い込まれる冷却媒体温度が変動し、この撮影部２の内部温度を高精度に制御することができないという問題がある。
【００１１】
しかも、信号変換手段４の電源を含む電源部９は、撮影部２の外部に分離されている。これにより、電源部９から信号変換手段４への電源伝送長さが長尺化してしまい、外部ノイズに影響され易いという問題がある。
【００１２】
本発明は、この種の問題を解決するものであり、小型化を図るとともに、外部環境温度に影響されることがなく、高精度な温度制御を確実に行うことができ、高品質な放射線画像情報を効率的に得ることが可能な放射線画像情報撮影装置を提供することを目的とする。
【課題を解決するための手段】
【００１３】
本発明は、被写体の放射線画像を電気信号に変換して読み取る放射線画像情報撮影装置に関するものである。
【００１４】
放射線画像情報撮影装置は、被写体の放射線画像情報を電気信号に変換する変換部、前記変換部により変換された前記電気信号を増幅する増幅部、増幅された前記電気信号を処理する信号処理部、及び、少なくとも前記変換部に電源を供給するデバイス電源部を収容する筐体と、前記筐体の外部に配置される制御用電源部とを備えている。
【００１５】
そして、筐体内部は、外部に対して実質的に閉塞された空間部を形成するとともに、前記筐体には、前記空間部の空気を外部熱媒体との熱交換により温度調整する熱交換部が設けられている。ここで、外部熱媒体は、外部空気、外部クーラント、外部伝熱部材等を含む。
【００１６】
また、筐体内部には、空間部の温度を検出するための温度測定部が設けられることが好ましく、前記空間部の温度は、２０℃〜３０℃の範囲内に温度制御されることが好ましい。
【００１７】
さらに、熱交換部は、ペルチェ素子を備えることが好ましい。さらにまた、熱交換部は、空間部の空気と外部空気との間で熱交換を行うことが好ましく、また、前記熱交換部は、前記空間部の空気と前記筐体との間で熱交換を行うことが好ましい。
【００１８】
さらに、筐体内部には、少なくとも増幅部の温度調整を行う温度調整部が配設されることが好ましい。さらにまた、筐体は、内壁又は外壁に空間部を覆って断熱部材を設けることが好ましい。
【発明の効果】
【００１９】
本発明では、筐体の外部に制御用電源部が配置されるため、この筐体全体の小型化が図られる一方、前記筐体内にデバイス電源部が収容されるため、少なくとも前記デバイス電源部と変換部との電源伝送距離が有効に短尺化され、外部ノイズの影響を良好に除去することができる。
【００２０】
さらに、筐体内部は、実質的に外部から閉塞された空間部を形成するとともに、この空間部の空気が熱交換部によって温度調整されている。従って、筐体内部に外部空気を直接吸入する従来方式とは異なり、外部環境温度に影響されることがない。これにより、高精度な温度制御を確実且つ容易に行うことができ、高品質な放射線画像情報を効率的に得ることが可能になる。
【発明を実施するための最良の形態】
【００２１】
図１は、本発明の第１の実施形態に係る放射線画像情報撮影装置であるマンモグラフィ装置１０の斜視説明図である。
【００２２】
マンモグラフィ装置１０は、立設状態に設置される基台１６と、この基台１６の略中央部に配設される旋回軸１８に固定されるアーム部材２０と、被写体２２に対して放射線を照射する放射線源を収納し、前記アーム部材２０の一端部に固定される放射線源収納部２４と、前記被写体２２を透過した放射線を検出して放射線画像情報を取得する固体検出器（後述する）を収納し、前記アーム部材２０の他端部に固定される撮影台２６と、この撮影台２６に対して前記被写体２２の撮影部位を押圧して保持する押圧板２８とを備える。
【００２３】
放射線源収納部２４及び撮影台２６が固定されたアーム部材２０は、旋回軸１８を中心として矢印Ａ方向に旋回することで、被写体２２の撮影部位に対する撮影方向が調整可能に構成される。押圧板２８は、アーム部材２０に連結された状態で放射線源収納部２４及び撮影台２６間に配設されており、矢印Ｂ方向に変位可能に構成される。
【００２４】
基台１６には、マンモグラフィ装置１０によって検出された被写体２２の撮影部位、撮影方向等の撮影情報、前記被写体２２のＩＤ情報等を表示するとともに、必要に応じてこれらの情報を設定可能な表示操作部３０が配設される。
【００２５】
図２は、マンモグラフィ装置１０における撮影台２６の内部構成図であり、撮影台２６及び押圧板２８間に被写体２２の撮影部位であるマンモ３４を設定した状態を示す。
【００２６】
撮影台２６を構成する筐体２６ａの内部には、放射線源収納部２４に内蔵された放射線源から出力された放射線Ｘに基づく放射線画像情報を蓄積し、電気信号として出力する固体検出器（変換部）３６と、前記固体検出器３６に蓄積記録された放射線画像情報を読み取るために、前記固体検出器３６に読取光を照射する読取光源部３８と、前記読取光源部３８を前記固体検出器３６の読取光走査面に略平行な矢印Ｙ方向（図１参照）に移動させる走査部４０と、前記固体検出器３６に蓄積されている不要電荷を除去するために、固体検出器３６に消去光を照射する消去光源部４２とが設けられる。
【００２７】
筐体２６ａの内部には、外部に対して実質的に閉塞された空間部４４が形成されるとともに、前記筐体２６ａには、前記空間部４４の空気を外部熱媒体との熱交換により温度調整する熱交換部４６が設けられる。
【００２８】
固体検出器３６は、直接変換方式且つ光読出方式の放射線固体検出器（変換部）であって、マンモ３４を透過した放射線Ｘからなる放射線画像情報を静電潜像として蓄積し、読取光源部３８からの読取光により走査されることで、静電潜像に応じた電流を発生する。
【００２９】
固体検出器３６は、具体的には、ガラス基板上に形成され、放射線Ｘを透過する第１導電層と、放射線Ｘが照射されることで電荷を発生する記録用光導電層と、前記第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘを透過する第２導電層とを順に積層して構成される。記録用光導電層と電荷輸送層との界面には、蓄電部が形成される。
【００３０】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向に対応する一方、前記線状電極の延在する方向が副走査方向（矢印Ｙ方向）に対応する。
【００３１】
読取光源部３８は、例えば、複数のＬＥＤチップを一列に並べて構成されるライン光源と、ライン光源から出力された読取光を固体検出器３６上に線状に照射させる光学系とを有する。固体検出器３６の第２導電層を構成する線状電極の延在方向と直交する方向にＬＥＤチップが配列されたライン光源を、前記線状電極の延在方向に移動させることで、前記固体検出器の全面が露光走査される。
【００３２】
消去光源部４２は、短時間で発光／消光し、且つ、残光の非常に小さい光源が好適であり、例えば、読取光源部３８を構成するＬＥＤチップの配列方向と直交する方向に延在し、且つ、前記配列方向に配列される複数の外部電極型希ガス蛍光ランプを使用することができる（図２参照）。
【００３３】
図３に示すように、固体検出器３６の各線状電極毎にフレキシブル基板５０が接続される。各フレキシブル基板５０には、線状電極に近接して増幅器（増幅部）５２が設けられるとともに、前記フレキシブル基板５０は、後述するＡ／Ｄ変換器を介して各種基板に接続されている。
【００３４】
増幅器５２及びフレキシブル基板５０には、これらの温度調整を行うために第１温調部（温度調整部）５４が設けられる。この第１温調部５４は、増幅器５２及びフレキシブル基板５０の一方の面側に配置される第１温調部材５６と、前記フレキシブル基板５０の他方の面側に配置される第２温調部材５８とを備える。第１温調部材５６と第２温調部材５８とは、図示しないが、例えば、ボルト等により一体的に固定される。
【００３５】
第１温調部材５６は、熱伝達率の高い金属で構成されており、断面略Ｌ字状を有して各増幅器５２に対応する側面部に凹部５９が形成される。第１温調部材５６の下部には、温調手段として、例えば、ペルチェ素子６０が装着されるとともに、このペルチェ素子６０には、ヒートシンク６２が配設される。
【００３６】
なお、ペルチェ素子６０を用いることなく、ヒートシンク６２を第１温調部材５６に直接設けてもよく、あるいは、ヒートパイプ等の伝熱手段を採用することもできる。
【００３７】
第２温調部材５８は、熱伝達率の高い金属で構成され、その上部に固体検出器３６の端部を直接保持する上面５８ａを設ける。第２温調部材５８の上面５８ａには、取付部材６４の一端部が載置されるとともに、前記取付部材６４の他端部が固体検出器３６上に配置される。この状態で、取付部材６４は、ボルト６６を介して第２温調部材５８の上面５８ａに固定される。第２温調部材５８には、各増幅器５２の温度を検出するサーミスタ等の温度検出部（図示せず）が設けられる。
【００３８】
熱交換部４６は、被写体２２から離間した部位、例えば、基台１６側の側部に設けられており、図４に示すように、筐体２６ａの内壁に配設される温調手段、例えば、ペルチェ素子７０を備える。このペルチェ素子７０には、空間部４４に配置されるヒートシンク（主に、吸熱用）７２が固着されるとともに、筐体２６ａの外壁には、ヒートシンク（主に、放熱用）７４が固着される。
【００３９】
空間部４４全体でペルチェ素子７０による温度制御が均一に遂行されるように、この空間部４４に空気を循環させる構造や、前記空間部４４に空気の強制対流を発生させる構造等が採用される。
【００４０】
例えば、図５に示すように、空間部４４に壁板７６を設けて、この壁板７６と筐体２６ａの内壁との間に循環通路７８が形成されるとともに、この循環通路７８にファン８０が配置される。壁板７６は、熱伝達率の高い金属板で構成される。従って、ファン８０の作用下に、循環通路７８に沿って空気が流動すると、この空気は、ペルチェ素子７０の温度制御によって、ヒートシンク７２により冷却及び／又は加温される。そして、温度制御された空気は、循環通路７８を移動しながら空間部４４の空気と熱交換され、前記空間部４４全体の温度調整が遂行される。
【００４１】
図６は、マンモグラフィ装置１０を構成する撮影台２６に収容される制御回路のブロック図である。
【００４２】
マンモグラフィ装置１０の撮影台２６は、固体検出器３６と、前記固体検出器３６に高電圧を供給するデバイス電源部８２と、高電圧が供給された前記固体検出器３６の各線状電極から出力されるアナログ電気信号を増幅する増幅器５２と、増幅されたアナログ電気信号をデジタル電気信号に変換するＡ／Ｄ変換器８４と、前記デジタル電気信号の信号処理を行う基板８６と、熱交換部４６と、第１温調部５４と、前記Ａ／Ｄ変換器８４の温度調整を行う第２温調部（温度調整部）８８と、空間部４４の温度を検出する温度測定部（温度センサ）９０とを備える。第２温調部８８は、例えば、第１温調部５４と同様に構成される。
【００４３】
撮影台２６の外部には、少なくとも制御部である基板８６の他、Ａ／Ｄ変換器８４、読取光源部３８、消去光源部４２、熱交換部４６、第１温調部５４、第２温調部８８及び温度測定部９０に電源を供給するための制御用電源部９２が設けられる。この制御用電源部９２は、例えば、基台１６内に収容される（図１参照）。
【００４４】
このように構成されるマンモグラフィ装置１０の動作について、以下に説明する。
【００４５】
先ず、図示しないコンソール、ＩＤカード等を用いて、被写体２２に係るＩＤ情報、撮影方法等の設定を行う。この場合、ＩＤ情報には、被写体２２の氏名、年齢、性別等の情報がある。また、撮影方法には、医師によって指示された撮影部位、撮影方向等の情報があり、コンソールから技師が入力することが可能である。これらの情報は、マンモグラフィ装置１０の表示操作部３０に表示して確認することができる。
【００４６】
次いで、技師は、指定された撮影方法に従ってマンモグラフィ装置１０を所定の状態に設定する。例えば、マンモ３４の撮影方法としては、上部から放射線Ｘを照射して撮影を行う頭尾方向（ＣＣ）撮影（図２参照）、側面から放射線Ｘを照射して撮影を行う側面方向（ＭＬ）撮影、斜め方向から放射線Ｘを照射して撮影を行う内外側斜位（ＭＬＯ）撮影があり、これらの撮影方法に応じてアーム部材２０を旋回軸１８を中心に旋回させる。
【００４７】
次に、マンモグラフィ装置１０に対して被写体２２を指定された撮影状態に設定する。例えば、被写体２２の左のマンモ３４に対する頭尾方向（ＣＣ）撮影を行う場合、図２に示すように、左のマンモ３４を撮影台２６に載置した後、押圧板２８を押し下げ、撮影台２６及び押圧板２８間にマンモ３４を保持させる。
【００４８】
そこで、放射線源収納部２４に収納されている放射線源を駆動し、放射線画像情報の撮影を行う。押圧板２８及び撮影台２６間に保持されたマンモ３４を透過した放射線Ｘは、撮影台２６に収納されている固体検出器３６に照射される。なお、固体検出器３６は、撮影に先立ち、消去光源部４２からの消去光が全面に照射されて不要電荷が除去されている。
【００４９】
次いで、デバイス電源部８２から第１導電層及び第２導電層間に高電圧を印加した状態において、放射線画像情報を担持した放射線Ｘが固体検出器３６に照射されると、この固体検出器３６の記録用光導電層内で正負の電荷対が発生し、その負電荷が前記記録用光導電層と電荷輸送層との界面に形成された蓄電部に蓄積される。この蓄積された負電荷、すなわち、潜像極性電荷の量は、マンモ３４を透過した放射線Ｘの線量に略比例している。なお、記録用光導電層で発生した正電荷は、第１導電層に引き寄せられ、高電圧供給部から供給された負電荷と結合して消滅する。
【００５０】
放射線画像情報の撮影が行われた後、読取光源部３８は、走査部４０の作用下に、矢印Ｙ方向に移動しながら、固体検出器３６に向かって読取光を照射する。
【００５１】
このため、読取用光導電層に正負の電荷対が発生し、その正電荷が蓄電部に蓄積されている負電荷（潜像極性電荷）に引きつけられるようにして電荷輸送層内を移動し、蓄電部の負電荷と結合して消滅する。一方、読取用光導電層で発生した負電荷は、デバイス電源部８２から第２導電層に供給される正電荷と結合して消滅する。
【００５２】
このように、固体検出器３６に蓄積されている負電荷が電荷結合によって消滅し、この電荷結合の際の電荷の移動による電流が固体検出器３６内に発生する。第２導電層を構成する複数の線状電極に発生した微少な電荷は、各線状電極にフレキシブル基板５０に搭載された各増幅器５２により増幅される。増幅されたアナログ電気信号は、Ａ／Ｄ変換器８４に送られてデジタル電気信号に変換された後、各種の基板８６に送られて所望の信号処理が行われ、マンモ３４の放射線画像情報が得られる。
【００５３】
この場合、第１の実施形態では、図６に示すように、制御用電源部９２が撮影台２６の筐体２６ａの外部に配置されるため、この筐体２６ａ全体の小型化が図られる。一方、筐体２６ａ内には、デバイス電源部８２が収容されるため、前記デバイス電源部８２と固体検出器３６との電源伝送距離が有効に短尺化され、外部ノイズの影響を良好に除去することができる。
【００５４】
さらに、筐体２６ａの内部は、実質的に外部から閉塞された空間部４４を形成するとともに、この空間部４４の空気は、熱交換部４６によって温度調整されている。従って、筐体２６ａの内部に外部空気が直接吸入される従来方式とは異なり、外部環境温度に影響されることがない。これにより、筐体２６ａ内では、高精度な温度制御を確実且つ容易に行うことができ、高品質な放射線画像情報を効率的に得ることが可能になるという効果が得られる。
【００５５】
さらにまた、第１の実施形態では、熱交換部４６は、図４又は図５に示すように、筐体２６ａの内壁に配設されるペルチェ素子７０を備え、このペルチェ素子７０には、空間部４４に配置されるヒートシンク７２が固着される一方、前記筐体２６ａの外壁には、ヒートシンク７４が固着されている。
【００５６】
このため、ヒートシンク７２は、主に吸熱用として機能する一方、ヒートシンク７４は、主に放熱用として機能し、前記ヒートシンク７２が空間部４４の空気を冷却する際に、前記ヒートシンク７４が外部空気と熱交換することにより放熱が行われる。その際、筐体２６ａの外部にファン等の送風手段を用いることにより、ヒートシンク７４による放熱は、外部空気を用いた強制対流によって一層良好に遂行されるという利点がある。
【００５７】
同様に、空間部４４に空気の強制対流を発生させることにより（図５参照）、ヒートシンク７２からも吸熱が一層迅速に行われ、この空間部４４の冷却機能が向上するという利点がある。
【００５８】
その際、空間部４４には、図６に示すように、温度測定部９０が配設されており、この空間部４４内の温度が検出されている。従って、温度測定部９０からの検出結果に基づいて、ペルチェ素子７０が駆動されることにより、空間部４４内の温度が高精度に制御される。なお、発熱体である増幅器５２及びＡ／Ｄ変換器８４には、第１温調部５４と第２温調部８８とが設けられている。このため、増幅器５２及びＡ／Ｄ変換器８４は、個別且つ良好に温度調整することが可能になる。
【００５９】
図７は、本発明の第２の実施形態に係るマンモフラフィ装置を構成する撮影台１００の制御回路のブロック図である。なお、第１の実施形態に係るマンモグラフィ装置１０と同一の構成要素には同一の参照符号を付して、その詳細な説明は省略する。また、以下に説明する第３の実施形態においても同様に、その詳細な説明は省略する。
【００６０】
撮影台１００では、筐体２６ａの外壁を覆って、例えば、樹脂性の断熱材１０２が設けられる。このため、第２の実施形態では、筐体２６ａの内部、すなわち、空間部４４は、外部環境から良好且つ確実に断熱され、前記空間部４４の温度調整が一層高精度に遂行されるという効果が得られる。なお、筐体２６ａの内壁に断熱材１０２を設けてもよい。
【００６１】
図８は、本発明の第３の実施形態に係るマンモグラフィ装置を構成する撮影台１１０の一部拡大断面図である。
【００６２】
撮影台１１０を構成する筐体２６ａには、熱交換部１１２が設けられる。熱交換部１１２は、筐体２６ａの内壁面に固着されるペルチェ素子７０と、この内壁に設けられる、例えば、アルミニウム等の塗料材１１４とを備える。
【００６３】
このように構成される第３の実施形態では、ペルチェ素子７０が温度制御されると、塗料材１１４を介して空間部４４に自然対流が発生し、この空間部４４内の温度制御が行われる。一方、ペルチェ素子７０からの放熱は、筐体２６ａ自体の熱伝導性によって行われる。従って、簡単且つ経済的な構成で、空間部４４の温度制御が高精度に遂行されるという効果が得られる。
【００６４】
なお、上記の第１の実施形態〜第３の実施形態では、温調手段としてペルチェ素子７０を用いて説明したが、これに限定されるものではない。例えば、空間部４４に熱媒体循環用のパイプ材を配設し、筐体２６ａにラジエータを装着して前記熱媒体と前記外部空気、あるいは、外部冷却水との間で熱交換を行うように構成してもよい。
【００６５】
また、本発明は、上述した実施形態に限定されるものではなく、本発明の主旨を逸脱しない範囲で自由に変更できることは勿論である。
【図面の簡単な説明】
【００６６】
【図１】本発明の第１の実施形態に係るマンモグラフィ装置の斜視説明図である。
【図２】前記マンモグラフィ装置における撮影台の内部構成図である。
【図３】前記撮影台に設けられる固体検出器及び温調部材の側面説明図である。
【図４】前記撮影台を構成する筐体及び熱交換部の側面説明図である。
【図５】図４の構造に循環通路を設けた状態の側面説明図である。
【図６】前記筐体に収容される制御回路のブロック図である。
【図７】本発明の第２の実施形態に係るマンモグラフィ装置を構成する撮影台に収容される制御回路のブロック図である。
【図８】本発明の第３の実施形態に係るマンモグラフィ装置を構成する撮影台の一部拡大断面図である。
【図９】特許文献１の放射線画像撮像装置の側面説明図である。
【符号の説明】
【００６７】
１０…マンモグラフィ装置              １６…基台
２０…アーム部材                      ２２…被写体
２４…放射線源収納部                  ２６、１００、１１０…撮影台
３０…表示操作部                      ３４…マンモ
３６…固体検出器                      ３８…読取光源部
４０…走査部                          ４６、１１２…熱交換部
５０…フレキシブル基板                ５２…増幅器
５４、８８…温調部                    ６０、７０…ペルチェ素子
６２、７２、７４…ヒートシンク        ６４…取付部材
７８…循環通路                        ８０…ファン
８２…デバイス電源部                  ８４…Ａ／Ｄ変換器
８６…基板                            ９０…温度測定部
９２…制御用電源部                    １０２…断熱材
１１４…塗料材
【図１】
0004753763.tif 000002
【図２】
0004753763.tif 000003
【図３】
0004753763.tif 000004
【図４】
0004753763.tif 000005
【図５】
0004753763.tif 000006
【図６】
0004753763.tif 000007
【図７】
0004753763.tif 000008
【図８】
0004753763.tif 000009
【図９】
0004753763.tif 000010